(57)【要約】【課題】蛍光体が付加されている撮像対象媒体が撮像された場合に、蛍光体が付加される前の撮像対象媒体に対応する撮像画像データを生成できる画像読取装置を提供すること。【解決手段】本画像読取装置では、特徴蛍光領域データが抽出部により紫外線照射時の蛍光に基づく第２画像データから抽出されて、特徴蛍光領域が特定される（Ｓ１２８）。次いで、白色光照射時の反射光に基づく第１画像データのうち特徴蛍光領域に対応する補正領域データが補正領域データ設定部により設定されて、この補正領域データが、補正部により蛍光体が付加される前の撮像対象媒体における特徴蛍光領域となるように、補正される（Ｓ１３０）。したがって、第１画像データを、蛍光体が撮像対象媒体に付加される前の撮像画像データにできる。言い換えれば、蛍光体が付加されている撮像対象媒体が撮像された場合に、蛍光体が付加される前の撮像対象媒体の撮像画像データを生成できる。【選択図】        図３
2009199228.tif 000002
【特許請求の範囲】
【請求項１】
可視領域内波長の第１光を撮像対象媒体に照射する第１光源と、
可視領域外波長の第２光を前記撮像対象媒体に照射する第２光源と、
前記撮像対象媒体からの前記可視領域内波長の反射光あるいは蛍光に基づいて、前記撮像対象媒体を撮像する撮像手段と、
前記撮像手段と前記撮像対象媒体とを相対移動させることで、前記撮像手段により前記撮像対象媒体を前記撮像手段と前記撮像対象媒体との相対移動方向に沿って撮像させる相対移動手段と、
前記第１光のみを前記撮像対象媒体に照射したときに前記撮像対象媒体において反射された前記第１光に対応する前記可視領域内波長の反射光に基づいて、前記撮像手段によって撮像された前記撮像対象媒体の一部に対応する可視光データ群を生成し、前記生成された可視光データ群を複数集合して前記撮像対象媒体に対応する第１画像データと、前記第２光のみを前記撮像対象媒体に照射したときに前記撮像対象媒体において励起された前記第２光に対応する前記可視領域内波長の蛍光に基づいて、前記撮像手段によって撮像された前記撮像対象媒体の一部に対応する可視光外データ群を生成し、前記生成された可視光外データ群を複数集合して前記撮像対象媒体に対応する第２画像データとを生成する画像データ生成手段と、
前記第２光が照射されたときに前記第２光に反応して前記可視領域内波長の光を励起する蛍光体が前記撮像対象媒体に付加されている場合に、前記第２光に対応する前記可視領域内波長の蛍光に基づいて、前記撮像対象媒体において前記蛍光体で囲まれ、あるいは覆われている特徴蛍光領域に対応する特徴蛍光領域データを前記第２画像データから抽出する抽出手段と、
前記特徴蛍光領域データに基づいて、前記第１画像データのうち、前記特徴蛍光領域に対応する補正領域データを設定する補正領域データ設定手段と、
前記設定された補正領域データを前記蛍光体が付加される前の前記撮像対象媒体における特徴蛍光領域となるように補正する補正手段と、
を備えることを特徴とする画像読取装置。
【請求項２】
前記第２画像データを階調反転する階調反転手段をさらに備え、
前記特徴蛍光領域データは、前記階調反転された第２画像データのうち、前記特徴蛍光領域に対応するものであり、
前記補正手段は、前記特徴蛍光領域データを前記補正領域データに加算する、
ことを特徴とする請求項１に記載の画像読取装置。
【請求項３】
前記補正手段は、前記補正領域データを前記特徴蛍光領域の周囲に対応する周囲領域データに基づいて補正する、
ことを特徴とする請求項１に記載の画像読取装置。
【請求項４】
前記第１画像データにおける文字を認識する文字認識手段を備え、
前記文字認識手段は、前記補正領域データから前記特徴蛍光領域における文字を認識して、前記認識された文字のテキストデータを生成する、
ことを特徴とする請求項１乃至請求項３の何れか１項に記載の画像読取装置。
【発明の詳細な説明】
【技術分野】
【０００１】
本発明は、撮像対象媒体の画像を読み取る画像読取装置に関するものである。
【背景技術】
【０００２】
原稿（撮像対象媒体）に記録されている画像を読み取る画像読取装置が提案されており、その一例が下記特許文献１に開示されている。
【０００３】
特許文献１に開示されている画像読取装置では、可視領域内波長の光である可視光が第１の光源によって原稿に照射されると、この可視光に基づく可視領域内波長の反射光が撮像手段によって撮像されて、上記の可視領域内波長の光に基づいた撮像画像データが生成される。
【０００４】
またさらに、この特許文献１に開示されている画像読取装置は、紫外線を原稿に照射する第２の光源を備えている。紫外線が第２の光源によって原稿に照射されると、例えば蛍光ペンのインク（蛍光体）による印が原稿に付けられている場合には、原稿に付けられている蛍光ペンのインクが紫外線に反応してこの紫外線に対応する可視領域内波長の蛍光を発する。そして、この画像読取装置では、紫外線に対応する可視領域内波長の蛍光が撮像手段によって撮像されると、原稿において蛍光ペンのインクで印が付けられている領域を、認識できる。
【０００５】
【特許文献１】特開昭６３−０５２５７４号公報
【発明の開示】
【発明が解決しようとする課題】
【０００６】
しかしながら、可視光が蛍光ペンのインクによる印付きの原稿に照射されると、蛍光ペンのインクは、可視光に反応して、可視光に対応する可視領域内波長の光を反射する。このため、蛍光ペンのインクによる印が撮像手段により撮像されてしまう。この結果、特許文献１に開示されている画像読取装置により生成された撮像画像データは、蛍光ペンのインクによる影響を受けてしまう。したがって、この撮像画像データによって再現される画像（原稿）は、蛍光ペンのインクによる印付きの画像となってしまう。これにより、この画像読取装置では、蛍光ペンのインクによる印が除去された原稿の撮像画像を得たいというニーズには、応えられなかった。
【０００７】
本発明は、上記に鑑みてなされたものであって、蛍光体が付加されている撮像対象媒体が撮像された場合に、蛍光体が付加される前の撮像対象媒体に対応する撮像画像データを生成できる画像読取装置を得ることを目的とする。
【課題を解決するための手段】
【０００８】
上述した課題を解決し、目的を達成するために、本発明は、可視領域内波長の第１光を撮像対象媒体に照射する第１光源と、可視領域外波長の第２光を前記撮像対象媒体に照射する第２光源と、前記撮像対象媒体からの前記可視領域内波長の反射光あるいは蛍光に基づいて、前記撮像対象媒体を撮像する撮像手段と、前記撮像手段と前記撮像対象媒体とを相対移動させることで、前記撮像手段により前記撮像対象媒体を前記撮像手段と前記撮像対象媒体との相対移動方向に沿って撮像させる相対移動手段と、前記第１光のみを前記撮像対象媒体に照射したときに前記撮像対象媒体において反射された前記第１光に対応する前記可視領域内波長の反射光に基づいて、前記撮像手段によって撮像された前記撮像対象媒体の一部に対応する可視光データ群を生成し、前記生成された可視光データ群を複数集合して前記撮像対象媒体に対応する第１画像データと、前記第２光のみを前記撮像対象媒体に照射したときに前記撮像対象媒体において励起された前記第２光に対応する前記可視領域内波長の蛍光に基づいて、前記撮像手段によって撮像された前記撮像対象媒体の一部に対応する可視光外データ群を生成し、前記生成された可視光外データ群を複数集合して前記撮像対象媒体に対応する第２画像データとを生成する画像データ生成手段と、前記第２光が照射されたときに前記第２光に反応して前記可視領域内波長の光を励起する蛍光体が前記撮像対象媒体に付加されている場合に、前記第２光に対応する前記可視領域内波長の蛍光に基づいて、前記撮像対象媒体において前記蛍光体で囲まれ、あるいは覆われている特徴蛍光領域に対応する特徴蛍光領域データを前記第２画像データから抽出する抽出手段と、前記特徴蛍光領域データに基づいて、前記第１画像データのうち、前記特徴蛍光領域に対応する補正領域データを設定する補正領域データ設定手段と、前記設定された補正領域データを前記蛍光体が付加される前の前記撮像対象媒体における特徴蛍光領域となるように補正する補正手段と、を備えることを特徴としている。
【０００９】
また、本発明は、前記第２画像データを階調反転する階調反転手段をさらに備え、前記特徴蛍光領域データは、前記階調反転された第２画像データのうち、前記特徴蛍光領域に対応するものであり、前記補正手段は、前記特徴蛍光領域データを前記補正領域データに加算する、ことが好ましい。
【００１０】
また、本発明は、前記補正手段は、前記補正領域データを前記特徴蛍光領域の周囲に対応する周囲領域データに基づいて補正する、ことが好ましい。
【００１１】
また、本発明は、前記第１画像データにおける文字を認識する文字認識手段を備え、前記文字認識手段は、前記補正領域データから前記特徴蛍光領域における文字を認識して、前記認識された文字のテキストデータを生成する、ことが好ましい。
【発明の効果】
【００１２】
本発明では、特徴蛍光領域データが抽出手段により第２画像データから抽出されて、特徴蛍光領域が特定される。特徴蛍光領域が特定されると、第１画像データのうち特徴蛍光領域に対応する補正領域データが設定手段により設定される。第１画像データにおいて特徴蛍光領域に対応する補正領域データが設定手段により設定されると、この補正領域データが、補正手段により蛍光体が付加される前の撮像対象媒体における特徴蛍光領域となるように、補正される。したがって、第１画像データを、蛍光体が撮像対象媒体に付加される前の撮像画像データにできる。言い換えれば、蛍光体が付加されている撮像対象媒体が撮像された場合に、蛍光体が付加される前の撮像対象媒体に対応する撮像画像データを生成できるという効果を奏する。
【００１３】
また、本発明では、第２画像データが階調反転手段により階調反転されると、特徴蛍光領域データは、階調反転された第２画像データのうち、特徴蛍光領域に対応するものとなる。この特徴蛍光領域データが補正手段により補正領域データに加算されると、撮像対象媒体に付加された蛍光体による階調成分が打ち消される。したがって、蛍光体が付加される前の撮像対象媒体に対応する撮像画像データを生成できるという効果を奏する。
【００１４】
また、本発明では、補正領域データが、補正手段により特徴蛍光領域の周囲に対応する周囲領域データに基づいて補正される。このとき、例えば、特徴蛍光領域における蛍光体の色をこの領域の周辺の背景色に変換できる。したがって、蛍光体が付加される前の撮像対象媒体に対応する撮像画像データを生成できるという効果を奏する。
【００１５】
また、本発明では、文字認識手段によって、特徴蛍光領域における文字が補正領域データから認識される。言い換えれば、文字認識手段により、蛍光体が付加されている特徴蛍光領域にある文字が認識される。さらに、文字認識手段によって、この認識された文字のテキストデータが生成される。このように、画像データからテキストデータを生成できるという効果を奏する。
【発明を実施するための最良の形態】
【００１６】
以下に、本発明に係る画像読取装置の実施の形態を図面に基づいて詳細に説明する。なお、以下の各実施の形態によりこの発明が限定されるものではない。
【００１７】
〔実施の形態１〕
以下、実施の形態１に係る画像読取装置について説明する。図１には、実施の形態１に係る画像読取装置の概略が模式的な断面図にて示されており、図２には、この画像読取装置１０の主要な構成がブロック図にて示されている。
【００１８】
画像読取装置１０は、第１光源１２と、第２光源１４と、撮像手段１６と、相対移動手段１８と、画像データ生成手段としての画像データ生成部２０ａと、抽出手段としての抽出部２０ｂと、補正領域データ設定手段としての補正領域データ設定部２０ｃと、補正手段としての補正部２０ｄと、文字認識手段としての文字認識部２０ｅと、を備えている。なお、画像データ生成部２０ａと、抽出部２０ｂと、補正領域データ設定部２０ｃと、補正部２０ｄと、文字認識部２０ｅとは、制御基板２０を構成している。
【００１９】
第１光源１２は、可視領域内波長の第１光を撮像対象媒体Ｐに照射するものである。本実施の形態では、第１光源１２が、白色光を照射する白色ＬＥＤ１２ａで構成されている。この白色ＬＥＤ１２ａから照射される白色光は、略３８０ｎｍ〜略７８０ｎｍの範囲に亘って様々な波長の光で構成されている。本実施の形態では、白色ＬＥＤ１２ａから照射される白色光の波長範囲は、例えば、３８０ｎｍ〜７８０ｎｍとされている。
【００２０】
また、第２光源１４は、可視領域外波長の第２光を撮像対象媒体Ｐに照射するものである。本実施の形態では、第２光源１４が、紫外線を照射する紫外線ＬＥＤ（以下、ＵＶＬＥＤという）１４ａで構成されている。このＵＶＬＥＤ１４ａから照射される紫外線は、略２００ｎｍ〜略３８０ｎｍの範囲内の波長とされている。本実施の形態では、ＵＶＬＥＤ１４ａから照射される紫外線の波長は、例えば、３６０ｎｍとされている。
【００２１】
本実施の形態では、白色ＬＥＤ１２ａと、ＵＶＬＥＤ１４ａとが、それぞれ制御基板２０に接続されており、これらの白色ＬＥＤ１２ａとＵＶＬＥＤ１４ａとは、電力を制御基板２０から供給されて点灯する。具体的には、白色ＬＥＤ１２ａとＵＶＬＥＤ１４ａとは電力を制御基板２０から供給されると、白色ＬＥＤ１２ａが可視領域内波長の第１光としての白色光を撮像対象媒体Ｐに照射し、ＵＶＬＥＤ１４ａが可視領域外波長の第２光としての紫外線を撮像対象媒体Ｐに照射する。
【００２２】
また、撮像手段１６は、撮像対象媒体Ｐからの上記の可視領域内波長の反射光あるいは蛍光に基づいて、撮像対象媒体Ｐを撮像するものである。本実施の形態では、撮像手段１６として３ラインセンサである撮像センサ１６ａが用いられる。撮像センサ１６ａは、可視光領域内波長の光に反応して階調に応じたアナログ値を出力する例えばＣＣＤ（Ｃｈａｒｇｅ  Ｃｏｕｐｌｅｄ  Ｄｅｖｉｃｅ）であり、Ｒ色光のみに反応するＲラインセンサと、Ｇ色光のみに反応するＧラインセンサと、Ｂ色光のみに反応するＢラインセンサとから構成されている。そして、これらのＲラインセンサ、Ｇラインセンサ、及びＢラインセンサは、それぞれ、撮像対象媒体Ｐの搬送方向と直交する主走査方向に１列に配列される複数の撮像素子から構成されている。
【００２３】
撮像センサ１６ａは、前述の白色ＬＥＤ１２ａと、ＵＶＬＥＤ１４ａと、撮像対象媒体Ｐからの反射光または蛍光を撮像センサ１６ａ側へ反射するミラー２２と、ミラー２２からの反射光を撮像センサ１６ａが撮像できるように収束させるレンズ２４と、撮像対象媒体Ｐを白色ＬＥＤ１２ａからの白色光あるいはＵＶＬＥＤ１４ａからの紫外線によって撮像するための画像読取支持板２６等と共に撮像ユニット２８を構成している。白色ＬＥＤ１２ａあるいはＵＶＬＥＤ１４ａの点灯時に撮像対象媒体Ｐのうち画像読取支持板２６と対向している部分に照射された白色光の反射光あるいは紫外線の蛍光をミラー２２及びレンズ２４を介して撮像センサ１６ａが撮像する構成である。
【００２４】
このような撮像センサ１６ａは、白色ＬＥＤ１２ａの点灯時には撮像した撮像対象媒体Ｐの一部をＲ色光に対応するＲラインセンサの撮像素子毎のＲ出力値と、Ｇ色光に対応するＧラインセンサの撮像素子毎のＧ出力値と、Ｂ色光に対応するＢラインセンサの撮像素子毎のＢ出力値とを制御基板２０の画像データ生成部２０ａに出力する。さらに、ＵＶＬＥＤ１４ａの点灯時には撮像した撮像対象媒体Ｐの一部を紫外線に対応するＲラインセンサの撮像素子毎のＲ出力値と、紫外線に対応するＧラインセンサの撮像素子毎のＧ出力値と、紫外線に対応するＢラインセンサの撮像素子毎のＢ出力値とを制御基板２０の画像データ生成部２０ａに出力する。
【００２５】
また、相対移動手段１８は、撮像手段１６と撮像対象媒体Ｐとを相対移動させることで、撮像手段１６により撮像対象媒体Ｐを撮像手段１６と撮像対象媒体Ｐとの相対移動方向に沿って撮像させるものである。本実施の形態では、相対移動手段１８は、撮像対象媒体Ｐを撮像手段１６へ向けて搬送する。相対移動手段１８は、撮像対象媒体Ｐに搬送方向（撮像対象媒体Ｐの副走査方向）への力を作用する駆動ローラ１８ａと、駆動ローラ１８ａと対を成してこの駆動ローラ１８ａと共に撮像対象媒体Ｐを挟持して搬送する従ローラ１８ｂと、上記の撮像対象媒体Ｐの搬送方向への力を駆動ローラ１８ａに作用させるＡＤＦモータ１８ｃとから構成されている。撮像手段１６よりも撮像対象媒体Ｐの搬送方向上流側には、撮像手段１６に撮像される撮像対象媒体Ｐを画像読取装置１０にセットするための図示しない給紙部が配置される一方、撮像手段１６よりも撮像対象媒体Ｐの搬送方向下流側には、撮像手段１６によって撮像された撮像対象媒体Ｐを画像読取装置１０から排紙するための図示しない排紙部が配置されている。例えばスキャンスイッチ２９が押圧されると、ＡＤＦモータ１８ｃが駆動して、駆動ローラ１８ａによる上記の搬送方向への力が、前述の図示しない給紙部にセットされていて駆動ローラ１８ａと従ローラ１８ｂとの間に挿入される撮像対象媒体Ｐに作用し、この結果、撮像対象媒体Ｐがその搬送方向に沿って搬送されて、前述の図示しない排紙部に排出される構成である。
【００２６】
また、制御基板２０の画像データ生成部２０ａは、第１光源１２が第１光のみを撮像対象媒体Ｐに照射したときにこの撮像対象媒体Ｐに対応する第１画像データと、第２光源１４が第２光のみを撮像対象媒体Ｐに照射したときにこの撮像対象媒体Ｐに対応する第２画像データとを生成するものである。
【００２７】
この制御基板２０の画像データ生成部２０ａは、第１光源１２が第１光のみを撮像対象媒体Ｐに照射したときにこの撮像対象媒体Ｐにおいて反射された第１光に対応する可視領域内波長の反射光に基づいて、撮像手段１６によって撮像された撮像対象媒体Ｐの一部に対応する可視光データ群を生成する。そして、画像データ生成部２０ａは、相対移動手段１８による撮像対象媒体Ｐの搬送開始から搬送終了までの間に生成された可視光データ群を複数集合して前述の第１画像データを生成する。また、この制御基板２０の画像データ生成部２０ａは、第２光源１４が第２光のみを撮像対象媒体Ｐに照射したときにこの撮像対象媒体Ｐにおいて蛍光した第２光に対応する可視領域内波長の蛍光に基づいて、撮像手段１６によって撮像された撮像対象媒体Ｐの一部に対応する可視光外データ群を生成する。そして、画像データ生成部２０ａは、相対移動手段１８による撮像対象媒体Ｐの搬送開始から搬送終了までの間に生成された可視光外データ群を複数集合して前述の第２画像データを生成する。
【００２８】
より詳しく述べると、本実施の形態では、制御基板２０の画像データ生成部２０ａは、白色ＬＥＤ１２ａの点灯時に前述のＲラインセンサによって撮像された前述のＲ出力値からＲラインデータを生成し、前述のＧラインセンサによって撮像された前述のＧ出力値からＧラインデータを生成し、前述のＢラインセンサによって撮像された前述のＢ出力値からＢラインデータを生成する。この生成されたＲラインデータとＧラインデータとＢラインデータとから構成される前述の可視光データ群を相対移動手段１８による撮像対象媒体Ｐの搬送開始から搬送終了までの間に繰り返し複数生成し、ＵＶＬＥＤ１４ａの点灯時に前述のＲラインセンサによって撮像された前述のＲ出力値からＲラインデータを生成し、前述のＧラインセンサによって撮像された前述のＧ出力値からＧラインデータを生成し、前述のＢラインセンサによって撮像された前述のＢ出力値からＢラインデータを生成する。この生成されたＲラインデータとＧラインデータとＢラインデータとから成る紫外線蛍光ラインデータ（以下、ＵＶラインデータという）から構成される可視光外データ群を相対移動手段１８による撮像対象媒体Ｐの搬送開始から搬送終了までの間に繰り返し複数生成する。
【００２９】
具体的には、制御基板２０の画像データ生成部２０ａは、可視光データ群と可視光外データ群とを、白色ＬＥＤ１２ａの第１光源１２と、ＵＶＬＥＤ１４ａの第２光源１４との点灯の切替えタイミング、言い換えれば、撮像手段１６である撮像センサ１６ａの第１光の反射光の撮像と第２光の蛍光の撮像とが切り替わるタイミングに合わせた並行処理により相対移動手段１８による撮像対象媒体Ｐの搬送開始から搬送終了までの間に生成して、複数の可視光データ群を集合して第１画像データを生成すると共に、複数の可視光外データ群を集合して第２画像データを生成する。
【００３０】
このような本実施の形態の画像読取装置１０では、撮像対象媒体Ｐを相対移動手段１８によって搬送している状態で、第１光源１２としての白色ＬＥＤ１２ａと第２光源１４としてのＵＶＬＥＤ１４ａとを交互に点灯する。より詳しく述べると、画像読取装置１０は、撮像対象媒体Ｐを相対移動手段１８によって搬送している状態で、制御基板２０によって白色ＬＥＤ１２ａとＵＶＬＥＤ１４ａとに交互に電力を供給して、白色ＬＥＤ１２ａとＵＶＬＥＤ１４ａとを交互に点灯する。また、画像読取装置１０では、画像読取支持板２６上に撮像対象媒体Ｐが位置しないときに、第１光源１２の白色ＬＥＤ１２ａを点灯することで白色光を画像読取支持板２６を介して白基準板３０へ照射することが可能とされている。
【００３１】
また、これに伴って、制御基板２０の画像データ生成部２０ａは、白色ＬＥＤ１２ａとＵＶＬＥＤ１４ａとの点灯の切替えタイミングで、撮像センサ１６ａから出力される出力値が、白色ＬＥＤ１２ａの点灯時のＲ出力値、Ｇ出力値、及びＢ出力値なのか、それともＵＶＬＥＤ１４ａの点灯時のＲ出力値、Ｇ出力値、及びＢ出力値なのかを判別する。
【００３２】
また、制御基板２０の抽出部２０ｂは、第２光が照射されたときにこの第２光に反応して可視領域内波長の光を蛍光する蛍光体が撮像対象媒体Ｐに付加されている場合に、第２光に対応する可視領域内波長の蛍光に基づいて、撮像対象媒体Ｐにおいて蛍光体で囲まれ、あるいは覆われている特徴蛍光領域に対応する特徴蛍光領域データを第２画像データから抽出するものである。ここで、蛍光体としては、例えば、蛍光ペンのインク等が挙げられる。
【００３３】
具体的に言い換えれば、制御基板２０の抽出部２０ｂは、第２光である紫外線が照射されたときにこの紫外線に反応して可視領域内波長の光を蛍光する例えば蛍光ペンのインクが撮像対象媒体Ｐに塗られている場合に、紫外線に対応する可視領域内波長の撮像対象媒体Ｐにおける蛍光に基づいて生成された第２画像データから、撮像対象媒体Ｐにおいて蛍光ペンのインクで囲まれ、あるいは上塗りされている特徴蛍光領域に対応する特徴蛍光領域データを抽出する。
【００３４】
また、制御基板２０の抽出部２０ｂは階調反転手段としての機能も有しており、この制御基板２０の抽出部２０ｂは、第２画像データを階調反転する。本実施の形態では、制御基板２０の抽出部２０ｂは、画像データ生成部２０ａで生成された第２画像データを階調反転してから、特徴蛍光領域データを抽出する。このときの特徴蛍光領域データは、階調反転された第２画像データのうち、特徴蛍光領域に対応するものである。
【００３５】
このような制御基板２０の抽出部２０ｂは、本実施の形態では、ＵＶＬＥＤ１４ａの点灯時に撮像センサ１６ａによって撮像された撮像対象媒体Ｐに対応する第２画像データの第１画像データに基づいた座標位置の補正と、第２画像データの出力レベル並びにコントラストの補正と、例えばＬＵＴ（ルック・アップ・テーブル）を参照した第２画像データの色に関する変換（色変換）と、第２画像データの階調反転と、を行う。本実施の形態の抽出部２０ｂは、このような処理により、第２画像データから出力レベルに特徴のあるデータを抽出して特徴蛍光領域データとする。
【００３６】
また、制御基板２０の補正領域データ設定部２０ｃは、特徴蛍光領域データに基づいて、第１画像データのうち、特徴蛍光領域に対応する補正領域データを設定するものである。言い換えれば、この制御基板２０の補正領域データ設定部２０ｃは、抽出部２０ｂにより第２画像データから抽出された特徴蛍光領域データによって特定される特徴蛍光領域に対応する、第１画像データのうちの補正領域データを設定する。
【００３７】
また、制御基板２０の補正部２０ｄは、補正領域データ設定部２０ｃにより設定された補正領域データを、蛍光体が付加される前の撮像対象媒体Ｐにおける特徴蛍光領域となるように補正するものである。本実施の形態では、制御基板２０の補正部２０ｄは、特徴蛍光領域データを補正領域データに加算する。より詳しく述べると、制御基板２０の補正部２０ｄは、抽出部２０ｂにより第２画像データから抽出された特徴蛍光領域データ、言い換えれば、階調反転された第２画像データのうち、特徴蛍光領域に対応するデータを、第１画像データの補正領域データに加算する。
【００３８】
また、制御基板２０の文字認識部２０ｅは、第１画像データにおける文字を認識するものである。制御基板２０の文字認識部２０ｅは、補正領域データから特徴蛍光領域における文字を認識して、この認識された文字のテキストデータを生成する。なお、画像読取装置１０と、文字認識部２０ｅの機能を有するアプリケーションソフトがインストールされている例えばパーソナル・コンピュータとを接続し、このアプリケーションソフトによって第１画像データにおける文字の認識が行われる構成としてもよい。
【００３９】
ところで、白基準板３０は、前述の第１画像データの補正時に基準となる第１白基準データを更新するために用いられるものである。白基準板３０は、撮像対象媒体Ｐの搬送路（画像読取装置１０の主要部分の筐体３２の斜面）と離間して配置されており、前述の画像読取支持板２６と対向している。この白基準板３０としては、例えば、蛍光顔料を混練させた樹脂によって成形されているものや、白色光の被照射面に白色蛍光塗料が塗布されているもの等が挙げられる。このような白基準板３０は、画像読取支持板２６上に撮像対象媒体Ｐが位置しないときであって、第１光源１２である白色ＬＥＤ１２ａの点灯時に、言い換えれば、第１光源１２による白色光の照射時に、この白色光に対応する可視領域内波長の光を撮像手段１６である撮像センサ１６ａへ反射する。またさらに、この白基準板３０は、前述の第２画像データの補正時に基準となる第２白基準データの更新時に、第２光源１４であるＵＶＬＥＤ１４ａが点灯することでＵＶＬＥＤ１４ａからの紫外線に対応する可視領域内波長の光を撮像手段１６である撮像センサ１６ａへ蛍光する。なお、この白基準板３０は、撮像対象媒体Ｐの搬送時に撮像対象媒体Ｐが画像読取支持板２６から浮いてしまう（離れてしまう）ことも抑制する。
【００４０】
また、第１白基準データと第２白基準データとは、生成された第１画像データと第２画像データとを補正するために、予め制御基板２０の画像データ生成部２０ａ内に記憶されている。このため、前述の白基準板３０は、前述のように、画像読取装置１０に予め記憶されている第１白基準データと第２白基準データとの更新に用いられる。
【００４１】
なお、前述の撮像対象媒体Ｐは、例えば、用紙、ＯＨＰシート等とされる。
【００４２】
次に、本発明の実施の形態１の画像読取装置１０の動作について説明する。
【００４３】
図３には、画像読取装置１０の動作手順の一例を示すフローチャートが示されている。なお、図３のフローチャートにおいて丸印で囲まれている数字はステップ間の繋がりを示している。
【００４４】
画像読取装置１０の電源が投入されると、ステップ１００に移行する。このとき、撮像対象媒体Ｐを画像読取装置１０の図示しない給紙部にセットする。ステップ１００では、例えばスキャンスイッチ２９が押圧されたか否かが判断される。このステップ１００では、スキャンスイッチ２９が押圧されたと判断された場合にのみ撮像対象媒体Ｐのスキャンが開始されると判断して、次のステップ１０２に進む。
【００４５】
ステップ１００の判断が肯定されてステップ１０２に移行すると、相対移動手段１８によって撮像対象媒体Ｐが搬送されていない状態、すなわち、撮像対象媒体Ｐと撮像手段１６とが対向していない状態で、第１光源１２の白色ＬＥＤ１２ａが点灯されることで白色光が白基準板３０に照射される。第１光源１２の白色ＬＥＤ１２ａが点灯されることで白色光が白基準板３０に照射されると、この白色光に対応する可視領域内波長の光が、この白基準板３０によって反射されて撮像手段１６である撮像センサ１６ａに撮像される。この結果、上記の白色光が照射された白基準板３０に対応する第１更新出力値が撮像センサ１６ａから制御基板２０の画像データ生成部２０ａに送られて、制御基板２０の画像データ生成部２０ａにより第１更新ラインデータが更新され、第１更新ラインデータに基づいて画像データ生成部２０ａ内に予め記憶されている第１白基準データが更新される。またさらに、この第１白基準データの更新が終了すると、第２光源１４のＵＶＬＥＤ１４ａが点灯されることで紫外線が白基準板３０に照射される。第２光源１４のＵＶＬＥＤ１４ａが点灯されることで紫外線が白基準板３０に照射されると、この紫外線に対応する可視領域内波長の光が、この白基準板３０によって蛍光されて撮像手段１６である撮像センサ１６ａに撮像される。この結果、上記の紫外線が照射された白基準板３０に対応する第２更新出力値が撮像センサ１６ａから制御基板２０の画像データ生成部２０ａに送られて、制御基板２０の画像データ生成部２０ａにより第２更新ラインデータが更新され、第２更新ラインデータに基づいて画像データ生成部２０ａ内に予め記憶されている第２白基準データが更新される。以上のように、白基準板３０は、第１画像データの補正時に基準となる第１白基準データの更新に用いることができる。これと共に、この白基準板３０は、第２光源１４のＵＶＬＥＤ１４ａが点灯されることで紫外線が照射されると、第２画像データの補正時に基準となる第２白基準データの更新に用いることができる。なお、第１光源１２の白色ＬＥＤ１２ａによる白色光の照射と、第２光源１４のＵＶＬＥＤ１４ａによる紫外線の照射との順序を逆にして、前述の第２白基準データの更新を行ってから、第１白基準データの更新を行っても良い。第１白基準データと第２白基準データとの更新が終了すると、ステップ１０４に移行する。
【００４６】
ステップ１０４では、相対移動手段１８のＡＤＦモータ１８ｃが駆動して駆動ローラ１８ａが図１の矢印方向に回転する。このため、撮像対象媒体Ｐは、駆動ローラ１８ａ及び従ローラ１８ｂのローラ対によって挟持されながら、撮像対象媒体Ｐの搬送方向（副走査方向）に沿いつつ、撮像手段１６の撮像センサ１６ａへ向けて搬送される（撮像対象媒体Ｐの搬送開始）。撮像対象媒体Ｐの搬送が開始されると、ステップ１０６に移行する。
【００４７】
ステップ１０６では、撮像対象媒体Ｐが相対移動手段１８の駆動ローラ１８ａ及び従ローラ１８ｂ等によって撮像手段１６の撮像センサ１６ａへ向けて搬送されている状態で、白色ＬＥＤ１２ａが点灯される。白色ＬＥＤ１２ａが点灯されると、ステップ１０８に移行する。
【００４８】
ステップ１０８では、撮像対象媒体Ｐにおいて反射された白色光に対応する可視領域内波長の反射光が、撮像センサ１６ａによって撮像される。上記の白色光に対応する可視領域内波長の反射光が撮像センサ１６ａによって撮像されると、ステップ１１０に移行する。
【００４９】
ステップ１１０では、上記の白色光に対応する可視領域内波長の反射光に基づいたＲ出力値とＧ出力値とＢ出力値とが、撮像センサ１６ａから同時に出力されて、制御基板２０の画像データ生成部２０ａによりＲラインデータ、Ｇラインデータ、及びＢラインデータが生成される。これらのＲラインデータとＧラインデータとＢラインデータとが制御基板２０の画像データ生成部２０ａにより生成されると、ステップ１１２に移行する。
【００５０】
ステップ１１２では、白色ＬＥＤ１２ａが消灯されて、制御基板２０の画像データ生成部２０ａによって、前述のＲラインデータとＧラインデータとＢラインデータとから構成される可視光データ群が生成される。可視光データ群が生成されると、図３において丸印で囲まれている数字「１」を介して、次のステップとして示されているステップ１１４に移行する。
【００５１】
ステップ１１４では、ＵＶＬＥＤ１４ａが点灯される。ＵＶＬＥＤ１４ａが点灯されると、ステップ１１６に移行する。
【００５２】
ステップ１１６では、撮像対象媒体Ｐにおいて励起された紫外線に対応する可視領域内波長の蛍光が、撮像センサ１６ａによって撮像される。ここで、例えば、撮像対象媒体Ｐが文字の記録されている原稿であってさらにこの原稿に蛍光ペンのインクが塗られている場合には、蛍光ペンのインクが塗られている箇所に紫外線が照射されると、この蛍光ペンのインクが塗られている箇所が、蛍光ペンの反応する可視領域内波長の光を蛍光する。上記の紫外線に対応する可視領域内波長の蛍光が撮像センサ１６ａによって撮像されると、ステップ１１８に移行する。
【００５３】
ステップ１１８では、上記の紫外線に対応する可視領域内波長の蛍光に基づいたＲ出力値とＧ出力値とＢ出力値とが、撮像センサ１６ａから出力されて、制御基板２０の画像データ生成部２０ａによりＲラインデータ、Ｇラインデータ、及びＢラインデータが生成される。これらのＲラインデータとＧラインデータとＢラインデータとが制御基板２０の画像データ生成部２０ａにより生成されると、ステップ１２０に移行する。
【００５４】
ステップ１２０では、ＵＶＬＥＤ１４ａが消灯されて、制御基板２０の画像データ生成部２０ａによって、紫外線に対応するＲラインデータとＧラインデータとＢラインデータとから構成される可視光外データ群が生成される。可視光外データ群が生成されると、ステップ１２２に移行する。
【００５５】
ステップ１２２では、撮像対象媒体Ｐのスキャンが終了したか否かが判断される。撮像対象媒体Ｐのスキャンが終了したか否かは、例えば、画像読取支持板２６付近に撮像対象媒体Ｐの検出センサを設けて、この検出センサからの出力に基づいて行えばよく、この場合、上記の検出センサが撮像対象媒体Ｐを検出しなくなったときに、撮像対象媒体Ｐのスキャンが終了したと判断する。このステップ１２２では、撮像対象媒体Ｐのスキャンが終了したと判断した場合には次のステップ１２４に進み、撮像対象媒体Ｐのスキャンが終了していないと判断した場合には、図３において丸印で囲まれている数字「２」を介して、次のステップとして示されているステップ１０４に戻って前述の処理を繰り返す。
【００５６】
撮像対象媒体Ｐのスキャンが終了したと判断されてステップ１２４に進むと、相対移動手段１８のＡＤＦモータ１８ｃが例えば所定量回転して撮像対象媒体Ｐを図示しない画像読取装置１０の排紙部へ送り出し、その後にＡＤＦモータ１８ｃが停止して駆動ローラ１８ａの回転が停止する。このようにして撮像対象媒体Ｐの搬送が終了されると、ステップ１２６に移行する。
【００５７】
ステップ１２６では、制御基板２０の画像データ生成部２０ａによって、前述のステップ１１２で生成された複数の可視光データ群が集合されて撮像対象媒体Ｐに対応する第１画像データが生成されると共に、前述のステップ１２０で生成された複数の可視光外データ群が集合されて撮像対象媒体Ｐに対応する第２画像データが生成される。
【００５８】
以上のようにして、画像読取装置１０では、撮像手段１６である撮像センサ１６ａと撮像対象媒体Ｐとが相対移動手段１８によってこれらの相対移動方向、言い換えれば、副走査方向に沿って相対移動している状態で、より具体的には、撮像対象媒体Ｐが相対移動手段１８の駆動ローラ１８ａ及び従ローラ１８ｂ等によって撮像手段１６の撮像センサ１６ａへ向けて搬送されている状態で、例えば、第１光源１２の白色ＬＥＤ１２ａと第２光源１４のＵＶＬＥＤ１４ａとが交互に点灯されると、第１光である白色光の可視領域内波長の反射光に基づいた可視光データ群と、第２光である紫外線の可視領域内波長の蛍光に基づいた可視光外データ群とが交互に生成される。そして、交互に複数生成された可視光データ群及び可視光外データ群のうち、可視光データ群を複数集合して撮像対象媒体Ｐに対応する第１画像データが生成されると共に、可視光外データ群を複数集合して撮像対象媒体Ｐに対応する第２画像データが生成される。
【００５９】
ここで、例えば蛍光ペンのインクが塗られている撮像対象媒体Ｐに第１光である白色光が照射されると、蛍光ペンのインクが照射された光に反応して反射した可視領域内波長の光が撮像手段１６である撮像センサ１６ａに撮像される。このため、第１画像データは、撮像対象媒体Ｐに付加された蛍光体からの反射光の影響を受けたものとなる。
【００６０】
そこで、本画像読取装置１０では、第１画像データと第２画像データとが生成されると、ステップ１２８以降の処理で、第１画像データを補正する。
【００６１】
第１画像データと第２画像データとが生成されると、ステップ１２８に移行して、紫外線に対応する可視領域内波長の撮像対象媒体Ｐにおける蛍光に基づいて画像データ生成部２０ａにより生成された第２画像データから、撮像対象媒体Ｐにおいて蛍光体が付加されている領域、例えば、蛍光ペンのインクで囲まれ、あるいは上塗りされている特徴蛍光領域に対応する特徴蛍光領域データが抽出部２０ｂにより抽出される。
【００６２】
ステップ１２８をより詳しく述べると、図４に示されるように、前述のステップ１２６からステップ１４０に移行し、制御基板２０の抽出部２０ｂによって、撮像対象媒体Ｐに対応する第２画像データの座標位置が第１画像データに基づいて補正される。この第２画像データの座標位置が第１画像データに基づいて補正されると、ステップ１４２に移行する。
【００６３】
ステップ１４２では、制御基板２０の抽出部２０ｂによって、第２画像データの出力レベル並びにコントラストが補正される。第２画像データの出力レベル並びにコントラストが補正されると、ステップ１４４に移行する。
【００６４】
ステップ１４４では、制御基板２０の抽出部２０ｂによって、図示しないＬＵＴ（ルック・アップ・テーブル）が参照されて、第２画像データの色に関するデータが変換される。言い換えれば、制御基板２０の抽出部２０ｂにより、第２画像データについての色変換が行われる。第２画像データの色変換が行われると、ステップ１４６に移行する。
【００６５】
ステップ１４６では、制御基板２０の抽出部２０ｂによって、第２画像データ、すなわち、階調データが変更される。言い換えれば、制御基板２０の抽出部２０ｂにより、第２画像データの階調反転が行われる。例えば、第１画像データの特徴蛍光領域内の１画素データ（Ｒ１，Ｇ１，Ｂ１）に対応する座標位置の第２画像データの１画素データ（Ｒ２，Ｇ２，Ｂ２）が制御基板２０の抽出部２０ｂにより階調反転されると、この階調反転された第２画像データの１画素データは、（２５５−Ｒ２，２５５−Ｇ２，２５５−Ｂ２）となる。この例では、Ｒ１，Ｇ１，Ｂ１，Ｒ２，Ｇ２，Ｂ２は、それぞれ０〜２５５の整数値を取る。第２画像データの階調反転が行われると、ステップ１４８に移行する。
【００６６】
ステップ１４８では、特徴蛍光領域に対応する特徴蛍光領域データが第２画像データから抽出される。具体的には、例えば、撮像対象媒体Ｐが蛍光ペンのインクで囲まれ、あるいは上塗りされている場合には、撮像対象媒体Ｐが蛍光ペンのインクで囲まれ、あるいは上塗りされている特徴蛍光領域に対応する特徴蛍光領域が第２画像データから抽出される。第２画像データから特徴蛍光領域データが抽出されると、図３のステップ１２８の作業が終了する。このステップ１２８が終了すると、ステップ１３０に移行する。
【００６７】
ステップ１３０では、制御基板２０の補正部２０ｄによって特徴蛍光領域データが第１画像データに加算される。このため、第１画像データが、蛍光体が除去された撮像対象媒体Ｐに対応するデータに補正される。言い換えれば、蛍光体が付加される前の撮像対象媒体Ｐの画像データが生成される。
【００６８】
ステップ１３０をより詳しく述べると、図５に示されるように、前述のステップ１２８からステップ１５０に移行する。ステップ１５０では、補正領域データ設定部２０ｃにより第１画像データのうち特徴蛍光領域に対応する補正領域データが設定される。補正領域データが設定されると、ステップ１５２に移行する。
【００６９】
ステップ１５２では、制御基板２０の補正部２０ｄにより、抽出部２０ｂによって第２画像データから抽出された特徴蛍光領域データが第１画像データのうち特徴蛍光領域に対応する補正領域データに加算される。例えば、ステップ１４６での一例を用いて説明すると、第１画像データの特徴蛍光領域内の１画素データ（Ｒ１，Ｇ１，Ｂ１）は、第２画像データから抽出された階調反転されている特徴蛍光領域内の１画素データ（２５５−Ｒ２，２５５−Ｇ２，２５５−Ｂ２）が加算されて、１画素データ（Ｒ１＋２５５−Ｒ２，Ｇ１＋２５５−Ｇ２，Ｂ１＋２５５−Ｂ２）となる。このように、特徴蛍光領域データが第１画像データの補正領域データに加算されると、蛍光体の付加される前の撮像対象媒体Ｐに対応する画像データが生成される。言い換えれば、特徴蛍光領域データが第１画像データの補正領域データに加算されると、ステップ１５４に示されるように、蛍光ペンのインクが除去された撮像対象媒体Ｐの画像データが生成される。このように、蛍光ペンのインクが除去された撮像対象媒体Ｐに対応する画像データが生成されると、ステップ１３０の処理が終了する。
【００７０】
ステップ１３０で特徴蛍光領域データが加算された第１画像データの補正領域データ、言い換えれば、蛍光ペンのインクが除去された撮像対象媒体Ｐに対応する画像データが生成されると、図３において丸印で囲まれている数字「３」を介して、次のステップとして示されているステップ１３２に移行する。
【００７１】
ステップ１３２に移行すると、第１画像データの文字認識があるか否かが判断される。この判断は、例えば、ユーザからのボタン操作等によって、判断されればよい。このステップ１３２での判断が肯定されるとステップ１３４に移行し、この判断が否定されると撮像対象媒体Ｐの撮像処理が終了する。
【００７２】
ステップ１３２での判断が肯定されてステップ１３４に移行すると、撮像対象媒体Ｐにおいて特徴蛍光領域内における文字が制御基板２０の文字認識部２０ｅにより認識される。すなわち、第２画像データに基づいて、文字認識を行う範囲が決定される。特徴蛍光領域の文字が制御基板２０の文字認識部２０ｅにより認識されると、ステップ１３６に移行する。なお、文字認識の技術については、公知技術であるので、その説明を省略する。
【００７３】
ステップ１３６に移行すると、ステップ１３４の処理で認識された文字のテキストデータが制御基板２０の文字認識部２０ｅにより生成されて、撮像対象媒体Ｐの撮像処理が終了する。
【００７４】
以上説明したように、本画像読取装置１０では、特徴蛍光領域データが制御基板２０の抽出部２０ｂにより第２画像データから抽出されて、特徴蛍光領域が特定される。特徴蛍光領域が特定されると、第１画像データのうち特徴蛍光領域に対応する補正領域データが制御基板２０の補正領域データ設定部２０ｃにより設定される。第１画像データにおいて特徴蛍光領域に対応する補正領域データが制御基板２０の補正領域データ設定部２０ｃにより設定されると、この補正領域データが、制御基板２０の補正部２０ｄにより反射体である蛍光体が付加される前の撮像対象媒体Ｐにおける特徴蛍光領域となるように、補正される。したがって、第１画像データを、蛍光体が撮像対象媒体Ｐに付加される前の撮像画像データにできる。言い換えれば、蛍光体が付加されている撮像対象媒体Ｐが撮像された場合に、蛍光体が付加される前の撮像対象媒体Ｐに対応する撮像画像データを生成できる。
【００７５】
また、本画像読取装置１０では、第２画像データが階調反転手段の機能を有する制御基板２０の抽出部２０ｂにより階調反転されると、特徴蛍光領域データは、階調反転された第２画像データのうち、特徴蛍光領域に対応するものとなる。この特徴蛍光領域データが制御基板２０の補正部２０ｄにより補正領域データに加算されると、撮像対象媒体Ｐに付加された蛍光体による階調成分が打ち消される。したがって、蛍光体が付加される前の撮像対象媒体Ｐに対応する撮像画像データを生成できる。
【００７６】
また、本画像読取装置１０では、制御基板２０の文字認識部２０ｅによって、特徴データに対応する、蛍光体が付加されている特徴蛍光領域にある文字が認識される。言い換えれば、制御基板２０の文字認識部２０ｅにより、第２画像データに基づいて、蛍光体が付加されている特徴蛍光領域にある文字が認識される。さらに、制御基板２０の文字認識部２０ｅによって、この認識された文字のテキストデータが生成される。このように、第１画像データからテキストデータを生成できる。
【００７７】
〔実施の形態２〕
次に、実施の形態２に係る画像読取装置１０について説明する。本実施の形態に係る画像読取装置１０は、制御基板２０の補正部２０ｄが、補正領域データを特徴蛍光領域の周囲に対応する周囲領域データに基づいて補正するものである。なお、本実施の形態に係る画像読取装置１０について、前述の実施の形態１の画像読取装置１０と同一の構成要件については、同一符号を付してその説明を省略する。
【００７８】
次に、本発明の実施の形態２の画像読取装置１０の動作について説明する。
【００７９】
本実施の形態の画像読取装置１０の動作の概要については、図３に示される動作と同様である。本実施の形態の画像読取装置１０の動作は、図３のステップ１２８とステップ１３０とにおける処理内容が、前述の実施の形態１とは異なるものである。
【００８０】
ステップ１２６の処理が終了するとステップ１２８に移行するが、本実施の形態では、ステップ１２８において、第２画像データの階調反転は不要である。本実施の形態におけるステップ１２８の詳細は、実施の形態１で説明したステップ１２８の処理から、第２画像データの色変換を行うステップ１４４と、第２画像データの階調反転を行うステップ１４６とを省略したものとなる。このため、本実施の形態におけるステップ１２８についての説明を省略する。
【００８１】
図６には、本実施の形態におけるステップ１３０の詳細が示されている。本実施の形態では、ステップ１２８の処理が終了すると、図６に示されるステップ１５０に移行する。
【００８２】
ステップ１５０では、補正領域データ設定部２０ｃにより第１画像データのうち特徴蛍光領域に対応する補正領域データが設定される。この点は、前述の実施の形態１と同様である。補正領域データが設定されると、ステップ１５６に移行する。
【００８３】
ステップ１５６では、制御基板２０の補正部２０ｄにより補正領域データが特徴蛍光領域の周囲に対応する周囲領域データに基づいて補正される。例えば、蛍光ペンのインクが撮像対象媒体Ｐに塗られている場合には、制御基板２０の補正部２０ｄにより、撮像対象媒体Ｐに蛍光ペンのインクで囲まれ、あるいは上塗りされている特徴蛍光領域の色がその周辺の背景色に基づいて変換される。このように、第１画像データの補正領域データが周囲領域データに基づいて補正されると、蛍光体が付加される前の撮像対象媒体Ｐに対応する画像データが生成される。言い換えれば、第１画像データの補正領域データが周囲領域データに基づいて補正されると、ステップ１５８に示されるように、蛍光ペンのインクが除去された撮像対象媒体Ｐに対応する画像データが生成される。このように、蛍光ペンのインクが除去された撮像対象媒体Ｐに対応する画像データが生成されると、ステップ１３０の処理が終了する。
【００８４】
以下、前述の実施の形態１と同様に、ステップ１３２〜ステップ１３６の処理を行い、撮像対象媒体Ｐの撮像処理が終了する。
【００８５】
以上説明したような本実施の形態の画像読取装置１０では、補正領域データが、制御基板２０の補正部２０ｄにより特徴蛍光領域の周囲に対応する周囲領域データに基づいて補正される。このとき、例えば、特徴蛍光領域における蛍光体の色をこの領域の周辺の背景色に変換できる。したがって、蛍光体が付加される前の撮像対象媒体Ｐに対応する撮像画像データを生成できる。
【００８６】
なお、本発明の実施の形態１及び２の画像読取装置１０は、撮像対象媒体Ｐを撮像手段１６によって撮像する場合に、第１光源１２を点灯した後に第２光源１４を点灯する構成としたが、本発明はこれに限らず、第２光源１４を点灯した後に第１光源１２を点灯する構成としても良い。
【００８７】
また、本発明の実施の形態１及び２の画像読取装置１０では、第１画像データと第２画像データとを生成するために、制御基板２０の画像データ生成部２０ａが複数の可視光データ群や複数の可視光外データ群を集合させるタイミングを相対移動手段１８による撮像対象媒体Ｐの搬送終了後に設定したが、本発明はこれに限らない。本発明は、可視光データ群や可視光外データ群の数が増える度に複数の可視光データ群や可視光外データ群を集合させておき、撮像対象媒体Ｐのスキャンが終了したときに、集合した複数の可視光データ群から第１画像データを生成すると共に集合した複数の可視光外データ群から第２画像データを生成してもよい。
【００８８】
また、本発明の実施の形態１及び２の画像読取装置１０は、第１光源１２及び第２光源１４の２つの光源と、１つの撮像手段１６とから構成される撮像ユニット２８を用いて撮像対象媒体Ｐに対応する第１画像データと第２画像データとを生成する構成としたが、本発明はこれに限らない。本発明は、例えば、第１光源１２及び１つの撮像手段とから構成される白色光用の撮像ユニットと、第２光源１４及び１つの撮像手段とから構成される紫外線用の撮像ユニットと、の２つの撮像ユニットを用いて撮像対象媒体Ｐに対応する第１画像データと第２画像データとを生成する構成としてもよい。この場合、本発明は、例えば、第１光源１２として白色光を撮像対象媒体Ｐに照射する可視光冷陰極管が適用されると共に、第２光源１４として紫外線を撮像対象媒体Ｐに照射するブラックライト冷陰極管が適用される構成であってもよい。
【００８９】
また、本発明の実施の形態１及び２の画像読取装置１０は、白色ＬＥＤ１２ａによって白色光を撮像対象媒体Ｐに照射する構成としたが、本発明はこれに限らない。本発明は、例えば、Ｒ色光を撮像対象媒体Ｐに照射するＲＬＥＤと、Ｇ色光を撮像対象媒体Ｐに照射するＧＬＥＤと、Ｂ色光を撮像対象媒体Ｐに照射するＢＬＥＤと、紫外線を撮像対象媒体Ｐに照射するＵＶＬＥＤと、１つの撮像手段１６とから構成される１つの撮像ユニットを用いて撮像対象媒体Ｐに対応する第１画像データと第２画像データとを生成する構成としてもよい。この場合、ＲＬＥＤ、ＧＬＥＤ、及びＢＬＥＤを全て点灯することで、撮像対象媒体Ｐに白色光を照射できる。この場合は、第２画像データから抽出された特徴蛍光領域データに対応する特徴蛍光領域の補正領域データを、生成された周辺領域データで置き換えることができる。
【００９０】
また、本発明の実施の形態１及び２では、画像読取装置１０は、第１光源１２と、第２光源１４と、撮像手段１６と、相対移動手段１８と、画像データ生成手段としての画像データ生成部２０ａと、抽出手段としての抽出部２０ｂと、補正領域データ設定手段としての補正領域データ設定部２０ｃと、補正手段としての補正部２０ｄと、文字認識手段としての文字認識部２０ｅとが１つにされた電子機器とされていたが、本発明はこれに限らない。本発明は、例えば、異なる２つの電子機器から構成されていてもよい。本発明が異なる２つの電子機器から構成されている場合には、例えば、一方の電子機器が第１光源１２と、第２光源１４と、撮像手段１６と、相対移動手段１８と、画像データ生成手段としての画像データ生成部２０ａとを有するものであり、他方の電子機器が抽出手段としての抽出部２０ｂと、補正領域データ設定手段としての補正領域データ設定部２０ｃと、補正手段としての補正部２０ｄと、文字認識手段としての文字認識部２０ｅとを有するものであってもよい。言い換えれば、本発明の画像読取装置は、撮像対象媒体Ｐを撮像する撮像系を１つにした電子機器（例えば、カメラ、スキャナ等）と、上記の撮像系により撮像された撮像対象媒体Ｐに対応する画像データを処理する画像処理系を１つにした電子機器（例えば、画像処理用のアプリケーションソフトがインストールされているパーソナル・コンピュータ等）とから構成されていてもよい。また、上記の画像処理系を１つにした電子機器は、例えば使用者のニーズに応じて、文字認識部２０ｅを適宜省略してもよい。
【産業上の利用可能性】
【００９１】
以上のように、本発明に係る画像読取装置は、撮像対象媒体の画像データを生成するのに有用であり、特に、蛍光ペンのインクが塗られている撮像対象媒体が撮像された場合に、蛍光ペンのインクが塗られる前の撮像対象媒体に対応する撮像画像データを生成するのに有用である。
【図面の簡単な説明】
【００９２】
【図１】実施の形態１に係る画像読取装置の概略を示す模式的な断面図である。
【図２】実施の形態１に係る画像読取装置の主要な構成を示すブロック図である。
【図３】実施の形態１及び２に係る画像読取装置の動作手順の一例を示すフローチャートである。
【図４】実施の形態１及び２に係る画像読取装置の動作手順の一部であって、図３のステップ１２８の詳細を示すフローチャートである。
【図５】実施の形態１に係る画像読取装置の動作手順の一部であって、図３のステップ１３０の詳細を示すフローチャートである。
【図６】実施の形態２に係る画像読取装置の動作手順の一部であって、図３のステップ１３０の詳細を示す図５に対応したフローチャートである。
【符号の説明】
【００９３】
１０    画像読取装置
１２    第１光源
１２ａ  白色ＬＥＤ
１４    第２光源
１４ａ  紫外線ＬＥＤ
１６    撮像手段
１６ａ  撮像センサ
１８    相対移動手段
１８ａ  駆動ローラ
１８ｂ  従ローラ
１８ｃ  ＡＤＦモータ
２０    制御基板
２０ａ  画像データ生成部（画像データ生成手段）
２０ｂ  抽出部（抽出手段、階調反転手段）
２０ｃ  補正領域データ設定部（補正領域データ設定手段）
２０ｄ  補正部（補正手段）
２０ｅ  文字認識部（文字認識手段）
Ｐ      撮像対象媒体
【図１】
2009199228.tif 000003
【図２】
2009199228.tif 000004
【図３】
2009199228.tif 000005
【図４】
2009199228.tif 000006
【図５】
2009199228.tif 000007
【図６】
2009199228.tif 000008